(57)【要約】【課題】  常時、かけ湯槽にお湯が流れ込んでお湯が流れる音響効果や視覚効果を得ることができる給湯装置を提供する。【解決手段】  かけ湯槽１００へ給湯するお湯を吐水する吐水口１１０と、吐水口１１０とかけ湯槽１００とを接続して吐水口１１０から吐水されたお湯をかけ湯槽１００に流し込むための湯路１２０と、かけ湯槽１００からのお湯を吐水口１１０へ送るための送湯路（例えば送湯管１３０）と、送湯管１３０の途中に介設されてかけ湯槽１００のお湯を吐水口１１０へ送る送湯手段（例えばポンプ１３１）と、かけ湯槽１００へお湯を供給する給湯路（例えば給湯管１４０）とを具備する。【選択図】      図１
2006288825.tif 000002
【特許請求の範囲】
【請求項１】
温浴施設において、入浴する前に人体に付着した汚れを落とすために用いるかけ湯を湛えるかけ湯槽にお湯を供給する給湯装置であって、
前記かけ湯槽へ給湯するお湯を吐水する吐水口と、
前記吐水口と前記かけ湯槽とを接続して前記吐水口から吐水されたお湯を前記かけ湯槽に流し込むための湯路と、
前記かけ湯槽からのお湯を前記吐水口へ送るための送湯路と、
前記送湯路の途中に介設されて前記かけ湯槽のお湯を前記吐水口へ送る送湯手段と、
前記かけ湯槽へお湯を供給する給湯路とを具備することを特徴とする給湯装置。
【請求項２】
請求項１において、前記湯路に音響効果又は視覚効果の少なくとも何れか一方を高める音響・視覚効果向上手段をさらに具備することを特徴とする給湯装置。
【請求項３】
請求項１又は２において、前記湯路又は前記送湯路の少なくとも何れか一方にお湯をろ過するろ過手段をさらに具備することを特徴とする給湯装置。
【請求項４】
請求項１〜３の何れかにおいて、前記湯路又は前記送湯路の少なくとも何れか一方に温浴効果を高める温浴効果向上手段をさらに具備することを特徴とする給湯装置。
【発明の詳細な説明】
【技術分野】
【０００１】
本発明は、入浴する前に人体に付着した汚れを落とすために用いるかけ湯を湛えるかけ湯槽にお湯を供給する給湯装置に関する。
【背景技術】
【０００２】
銭湯などの大衆温浴施設では、入浴する前に人体に付着した汚れを落とすために用いるかけ湯を湛えるかけ湯槽が設置されている。このようなかけ湯槽にお湯を給湯する給湯装置として、図２に示すように、吐水口５１０から吐水されたお湯が、水階段５２１が設けられた湯路５２０を通ってかけ湯槽５００に流れ込むことで、お湯が供給されるものがある。具体的には、この給湯装置は、図３に示すように、かけ湯槽５００の水位が下がったときに、図示しない給湯設備から供給されたお湯が給湯管５５０を通って吐水口５１０から吐水され、そのお湯が、水階段５２１が設けられた湯路５２０を通ってかけ湯槽５００に流れ込むという構造となっている。
【０００３】
しかしながら、この給湯装置では、排湯管５４０からお湯を排水することはできるが、通常は、かけ湯としてお湯が汲み取られることによりかけ湯槽５００の水位が下がらないと吐水口５１０からお湯が供給されず、常時お湯が吐水口５１０から流れていないので、お湯が流れる音響効果や視覚効果が常に発揮されていないという問題があった。
【０００４】
一方、視覚を通したリラクゼーション効果が得られる吐水装置が提案されているが（例えば特許文献１参照）、バスルーム内で利用されるものであり、かけ湯槽に関するものではなく、音響効果については考慮されていない。
【０００５】
【特許文献１】特開２００２−６５４９０号公報
【発明の開示】
【発明が解決しようとする課題】
【０００６】
本発明は、このような事情に鑑み、常時、かけ湯槽にお湯が流れ込んでお湯が流れる音響効果や視覚効果を得ることができる給湯装置を提供することを課題とする。
【課題を解決するための手段】
【０００７】
上記課題を解決するための本発明の第１の態様は、温浴施設において、入浴する前に人体に付着した汚れを落とすために用いるかけ湯を湛えるかけ湯槽にお湯を供給する給湯装置であって、前記かけ湯槽へ給湯するお湯を吐水する吐水口と、前記吐水口と前記かけ湯槽とを接続して前記吐水口から吐水されたお湯を前記かけ湯槽に流し込むための湯路と、前記かけ湯槽からのお湯を前記吐水口へ送るための送湯路と、前記送湯路の途中に介設されて前記かけ湯槽のお湯を前記吐水口へ送る送湯手段と、前記かけ湯槽へお湯を供給する給湯路とを具備することを特徴とする給湯装置にある。
【０００８】
かかる第１の態様では、常時、かけ湯槽にお湯が流れ込んでお湯が流れる音響効果や視覚効果を得ることができる。
【０００９】
本発明の第２の態様は、第１の態様において、前記湯路に音響効果又は視覚効果の少なくとも何れか一方を高める音響・視覚効果向上手段をさらに具備することを特徴とする給湯装置にある。
【００１０】
かかる第２の態様では、より高い音響効果や視覚効果を得ることができる。
【００１１】
本発明の第３の態様は、第１又は２の態様において、前記湯路又は前記送湯路の少なくとも何れか一方にお湯をろ過するろ過手段をさらに具備することを特徴とする給湯装置にある。
【００１２】
かかる第３の態様では、かけ湯槽のお湯をより衛生的に保つことができる。
【００１３】
本発明の第４の態様は、第１〜３の何れかの態様において、前記湯路又は前記送湯路の少なくとも何れか一方に温浴効果を高める温浴効果向上手段をさらに具備することを特徴とする給湯装置にある。
【００１４】
かかる第４の態様は、かけ湯の温浴効果をより高めることができる。
【発明の効果】
【００１５】
本発明によれば、常時、かけ湯槽にお湯が流れ込んでお湯が流れる音響効果や視覚効果を得ることができるので、より快適な温浴施設を提供することができる。
【発明を実施するための最良の形態】
【００１６】
以下、図面を用いて本発明を実施するための最良の形態について説明する。なお、本実施形態の説明は例示であり、本発明の構成は以下の説明に限定されない。
【００１７】
（実施形態１）
図１は、本発明の実施形態１に係る給湯装置１の断面概略図である。図１に示すように、本実施形態の給湯装置１は、かけ湯槽１００へ給湯するお湯を吐水する吐水口１１０と、吐水口１１０とかけ湯槽１００とを接続して吐水口１１０から吐水されたお湯をかけ湯槽１００に流し込むための湯路１２０と、かけ湯槽１００からのお湯を吐水口１１０へ送るための送湯路である送湯管１３０と、送湯管１３０の途中に介設されてかけ湯槽１００のお湯を吐水口１１０へ送る送湯手段であるポンプ１３１と、かけ湯槽１００へお湯を供給する給湯路である給湯管１４０とを具備し、さらに、湯路１２０に音響効果及び視覚効果を高める音響・視覚効果向上手段である水階段１２１と、かけ湯槽１００のお湯を排出するための排湯管１５０とを具備する。
【００１８】
かけ湯槽１００は、かけ湯を湛えることができるものであればその材質・形状・大きさは特に限定されない。
【００１９】
吐水口１１０は、かけ湯槽１００へ給湯するお湯を吐水することができるものであればその材質・形状・大きさ及び設置される場所は特に限定されない。
【００２０】
湯路１２０は、吐水口１１０とかけ湯槽１００とを接続して吐水口１１０から吐水されたお湯をかけ湯槽１００に流し込むことができるものであればその材質・形状・大きさは特に限定されないが、吐水口から吐水されるお湯の量に応じて適度な音響効果・視覚効果が得られるようにしたものが好ましい。
【００２１】
送湯管１３０は、かけ湯槽１００からのお湯を前記吐水口１１０へ送ることができるものであればその材質・形状・大きさは特に限定されないが、本実施形態では、送湯管１３０は吐水口１１０や湯路１２０などの下方に設置されるので、メンテナンスの回数を減らせるように、防菌・防汚効果を有する材質を用いたものが好ましい。また、送湯管１３０がかけ湯槽１００に接続される場所は特に限定されないが、かけ湯槽１００のお湯を満遍なく循環できるように、より下方に接続されるのが好ましく、特にかけ湯槽１００の底面に接続されるのが好ましい。
【００２２】
ポンプ１３１は、送湯管１３０の途中に介設されてかけ湯槽１００のお湯を吐水口１１０へ送ることができるものであれば特に限定されないが、本実施形態では、送湯管１３０と同様にポンプ１３１も吐水口１１０や湯路１２０などの下方に設置されるので、メンテナンスの回数を減らせるように、防菌・防汚効果を有する材質を用いたものが好ましいことはいうまでもない。なお、本実施形態では、ポンプ１３１は送湯管１３０と同様に吐水口１１０や湯路１２０などの下方に設置されているが、かけ湯槽１００内に保護網などを設けてその下に設置するようにしてもよい。ポンプ１３１をかけ湯槽１００内に設置することにより、より容易にポンプ１３１のメンテナンスを行うことができる。
【００２３】
給湯管１４０は、図示しない給湯設備からかけ湯槽１００へお湯を供給することができるものであればその材質・形状・大きさは特に限定されない。
【００２４】
水階段１２１は、音響効果及び視覚効果を高めることができるものであればその材質・形状・大きさは特に限定されない。水階段１２１を用いると、水階段１２１をお湯が流れ落ちる際の視覚効果と水階段１２１をお湯が流れ落ちる際に発生する音による音響効果とが相俟って相乗効果を発揮し、より高い音響効果及び視覚効果を得ることができる。なお、本実施形態では、音響・視覚効果向上手段として水階段１２１を用いたがこれに限定されず、例えば鹿脅しなどを用いてもよい。
【００２５】
排湯管１５０は、かけ湯槽１００からお湯を排出することができるものであればその材質・形状・大きさは特に限定されない。
【００２６】
次に、本発明の給湯装置１の動作について説明する。まず、ポンプ１３１によりかけ湯槽１００のお湯が送湯管１３０を通って吐水口１１０に送られると、吐水口１１０よりお湯が吐水される。吐水されたお湯は吐水口１１０付近に設けられた水階段１２１を流れ落ちる。その際の視覚効果とお湯が水階段１２１を流れ落ちる際に発生する音により音響効果が生じる。すなわち、その視覚効果と音響効果とが相俟って相乗効果が発揮され、より高い音響効果及び視覚効果を得ることができる。
【００２７】
そして、水階段１２１を流れ落ちたお湯は、湯路１２０を通って再びかけ湯槽１００に流れ込む。なお、かけ湯槽１００からかけ湯として取り除かれた部分のお湯は給湯管１４０から供給され、かけ湯槽１００の水位はほぼ一定に保たれるようになっている。
【００２８】
このような動作が常時行なわれているので、常に上述した音響効果及び視覚効果を得ることができる。
【００２９】
（他の実施形態）
実施形態１の給湯装置１の少なくとも湯路１２０又は送湯管１３０の何れか一方にお湯をろ過するろ過手段をさらに具備させてもよい。ろ過手段としては、例えば微生物や有機物を取り除くフィルタ、光源と少なくとも表面に光触媒機能を有するフィルタなどを用いることができる。ろ過手段を具備することにより、かけ湯槽１００のお湯をより衛生的に保つことができる。
【００３０】
また、実施形態１の給湯装置１の少なくとも湯路１２０又は送湯管１３０の何れか一方に温浴効果を高める温浴効果向上手段をさらに具備させてもよい。温浴効果向上手段としては、例えばマイナスイオン発生器、トルマリン石を敷き詰めた流路などを用いることができる。温浴効果向上手段を具備することにより、かけ湯の温浴効果をより高めることができる。
【００３１】
さらに、実施形態１の給湯装置１の少なくともかけ湯槽１００、湯路１２０又は送湯管１３０の何れか１つにお湯を加熱する加熱手段を具備させてもよい。加熱手段を設けることにより、かけ湯槽１００のお湯の温度の低下を防止することができる。特に送湯管１３０に加熱手段を具備した場合には、その効果に加え、さらに吐水口１１０から熱湯が流れ出しているという視覚的効果を得ることができる。
【００３２】
また、本実施形態では、かけ湯槽１００に給湯管１４０を接続させて新しいお湯を供給したが、湯路１２０や送湯管１３０などに給湯管を接続させてお湯を供給するようにしてもよい。
【図面の簡単な説明】
【００３３】
【図１】本発明の実施形態１に係る給湯装置を示す断面概略図である。
【図２】従来の給湯装置を示す斜視図である。
【図３】従来の給湯装置を示す断面概略図である。
【符号の説明】
【００３４】
１  給湯装置
１００  湯槽
１１０  吐水口
１２０  湯路
１２１  水階段
１３０  送湯管
１３０  送湯路
１３１  ポンプ
１４０  給湯管
１５０  排湯管
【図１】
2006288825.tif 000003
【図２】
2006288825.tif 000004
【図３】
2006288825.tif 000005